(57)【要約】【課題】  ユーザが良く行く地点をお勧め地点として提供する。【解決手段】  車両の現在位置を検出する現在位置検出手段（２）、前記現在位置検出手段で検出した車両のエンジンＯＦＦ地点の履歴を記憶する記憶手段（３）、前記記憶手段に記憶されたエンジンＯＦＦ地点の履歴データを読み出して出力する制御手段（５）、前記制御手段から出力される履歴データを送信する手段（６）とを備えた車両用ナビゲーション装置と、各車両用ナビゲーション装置から送信される前記履歴データを受信して統計処理する手段（１２）を備えたサーバ（１０）とからなり、前記サーバは、受信した履歴データのうち駐車場データがある施設は、その駐車場内の範囲を同一地点として統計処理し、地点検索用データとして作成し提供する。【選択図】        図１
2005315657.tif 000002
【特許請求の範囲】
【請求項１】
車両の現在位置を検出する現在位置検出手段、前記現在位置検出手段で検出した車両のエンジンＯＦＦ地点の履歴を記憶する記憶手段、前記記憶手段に記憶されたエンジンＯＦＦ地点の履歴データを読み出して出力する制御手段、前記制御手段から出力される履歴データを送信する手段とを備えた車両用ナビゲーション装置と、
各車両用ナビゲーション装置から送信される前記履歴データを受信して統計処理する手段を備えたサーバとからなり、
前記サーバは、受信した履歴データのうち駐車場データがある施設は、その駐車場内の範囲を同一地点として統計処理し、地点検索用データとして作成し提供することを特徴とするナビゲーションシステム。
【請求項２】
車両の現在位置を検出する現在位置検出手段、前記現在位置検出手段で検出した車両のエンジンＯＦＦ地点の履歴を記憶する記憶手段、前記記憶手段に記憶されたエンジンＯＦＦ地点の履歴データを読み出して出力する制御手段、前記制御手段から出力される履歴データを送信する手段とを備えた車両用ナビゲーション装置と、
各車両用ナビゲーション装置から送信される前記履歴データを受信して統計処理する手段を備えたサーバとからなり、
前記サーバは、受信した履歴データのうち特定の大きい施設は、その周辺の範囲を同一地点として統計処理し、地点検索用データとして作成し提供することを特徴とするナビゲーションシステム。
【請求項３】
前記サーバは、ジャンル分けした地点検索用データを作成することを特徴とする請求項１または２記載のナビゲーションシステム。
【請求項４】
各車両用ナビゲーション装置と通信し、受信したデータを統計処理する機能を備えたサーバに搭載されるプログラムにおいて、
車両用ナビゲーション装置から送信される車両のエンジンＯＦＦ地点の履歴データを受信するステップ、
受信した履歴データのうち駐車場データがある施設は、その駐車場内の範囲を同一地点として履歴データを統計処理し、地点検索用データとして作成し提供するステップ、
を有することを特徴とするプログラム。
【請求項５】
各車両用ナビゲーション装置と通信し、受信したデータを統計処理する機能を備えたサーバに搭載されるプログラムにおいて、
車両用ナビゲーション装置から送信される車両のエンジンＯＦＦ地点の履歴データを受信するステップ、
受信した履歴データのうち特定の大きい施設は、その周辺の範囲を同一地点として履歴データを統計処理し、地点検索用データとして作成し提供するステップ、
を有することを特徴とするプログラム。
【発明の詳細な説明】
【技術分野】
【０００１】
本発明はユーザが良く行く地点を収集し、お勧め地点として提供するナビゲーションシステム及びプログラムに関する。
【背景技術】
【０００２】
従来のナビゲーションシステムにおいて、行きたい場所を設定する場合に、記憶媒体に記憶されているデータベースから地点データを検索することが行われている。また、外部のセンタに記憶媒体を設置し、各車両のナビゲーションシステムからセンタへ地点検索要求するシステムも知られている。
【０００３】
また、車両からの要求により情報センタで経路探索して車両へ提供するシステムにおいて、複数の車両から送られる目的地データを集計して目的地として設定された施設データベースを構築し、車両からのジャンル検索要求に応じて、施設データベースから目的地設定頻度の高い順に検索して車両へ提供するものも提案されている（特許文献１）。
【特許文献１】特開２００３−５０１３５号公報
【発明の開示】
【発明が解決しようとする課題】
【０００４】
しかし、記憶媒体に記憶されている既存のデータベースを使用して地点検索するだけでは、ユーザが知らない土地へ行った場合に人気の施設や店舗がどこにあるか等を知ることができない。
また、特許文献１に記載されているように複数の車両から送信される目的地を集計して目的地設定頻度の高い順に施設データを構築する方法では、各車両のみがよく目的地として設定する地点、例えば、親戚の家のようなデータも含まれてしまうため、各車両だけの好みが反映しすぎて多くの車両の平均的な人気の度合いを反映しない可能性がある。
【課題を解決するための手段】
【０００５】
本発明は上記課題を解決しようとするものであり、ユーザが良く行く地点を収集し、お勧め地点として提供することを目的とする。
そのために本発明は、車両の現在位置を検出する現在位置検出手段、前記現在位置検出手段で検出した車両のエンジンＯＦＦ地点の履歴を記憶する記憶手段、前記記憶手段に記憶されたエンジンＯＦＦ地点の履歴データを読み出して出力する制御手段、前記制御手段から出力される履歴データを送信する手段とを備えた車両用ナビゲーション装置と、各車両用ナビゲーション装置から送信される前記履歴データを受信して統計処理する手段を備えたサーバとからなり、前記サーバは、受信した履歴データのうち駐車場データがある施設は、その駐車場内の範囲を同一地点として統計処理し、地点検索用データとして作成し提供することを特徴とする。
また、本発明は、車両の現在位置を検出する現在位置検出手段、前記現在位置検出手段で検出した車両のエンジンＯＦＦ地点の履歴を記憶する記憶手段、前記記憶手段に記憶されたエンジンＯＦＦ地点の履歴データを読み出して出力する制御手段、前記制御手段から出力される履歴データを送信する手段とを備えた車両用ナビゲーション装置と、各車両用ナビゲーション装置から送信される前記履歴データを受信して統計処理する手段を備えたサーバとからなり、前記サーバは、受信した履歴データのうち特定の大きい施設は、その周辺の範囲を同一地点として統計処理し、地点検索用データとして作成し提供することを特徴とする。
また、本発明は、各車両用ナビゲーション装置と通信し、受信したデータを統計処理する機能を備えたサーバに搭載されるプログラムにおいて、
車両用ナビゲーション装置から送信される車両のエンジンＯＦＦ地点の履歴データを受信するステップ、受信した履歴データのうち駐車場データがある施設は、その駐車場内の範囲を同一地点として履歴データを統計処理し、地点検索用データとして作成し提供するステップを有することを特徴とする。
また、本発明は、各車両用ナビゲーション装置と通信し、受信したデータを統計処理する機能を備えたサーバに搭載されるプログラムにおいて、
車両用ナビゲーション装置から送信される車両のエンジンＯＦＦ地点の履歴データを受信するステップ、受信した履歴データのうち特定の大きい施設は、その周辺の範囲を同一地点として履歴データを統計処理し、地点検索用データとして作成し提供するステップを有することを特徴とする。
【発明の効果】
【０００６】
本発明によれば、ユーザが良く行く地点を収集してお勧め地点として提供することが可能となる。
【発明を実施するための最良の形態】
【０００７】
以下、実施の形態について説明する。
図１は本実施形態に係るナビゲーションシステムを説明する図である。
各車両にはナビゲーション装置１−１、１−２……が搭載されており、各ナビゲーション装置は、自車両の現在位置に関する情報を検出する現在位置検出手段２、現在位置検出手段２で検出したエンジンＯＦＦしたときの地点を、例えば１ケ月分や２ケ月分等の履歴データとして記憶する記憶手段３、自宅等を地点登録する地点登録手段４、記憶手段３に記憶された履歴データを読み出して出力する制御手段５、制御手段５から出力される履歴データをサーバ１０に対して送信し、必要な情報をサーバから受信する送受信手段６とを備えている。
【０００８】
サーバ１０は各車両から送られるデータを受信し、必要な情報を送信する送受信手段１１、送受信手段１１で受信した各車両のナビゲーション装置から送信される履歴データを統計処理する手段１２を有し、統計処理して作成したお勧め地点の情報を送受信手段１１を通して各車両に提供する。
【０００９】
ユーザがよく行く地点を漏れなく収集するために、ユーザが能動的に特定の操作をすることなく、エンジンＯＦＦした地点を現在位置検出手段で検出し、この地点を行った地点として自動的に記憶する。しかし、エンジンＯＦＦした地点を記憶すると、例えば、自宅や勤務先等の特定の地点が最も多く記憶されてしまうことになる。そこで、ナビゲーション装置が地点登録手段４で自宅や勤務先、或いは自宅付近や勤務先の駐車場等を地点登録している場合には、制御手段５はその特定地点の座標から所定距離以内のデータは除いて送受信手段６に対して出力するようにする。
【００１０】
しかし、自宅を地点登録していない車両の場合には、ユーザが削除等の操作をしない限り自宅付近のデータも送信されることになる。そこで、サーバ１０では、特定の車両からのみ送信されてくる履歴データは除外して統計処理を行う。例えば、自宅や勤務先、或いは自宅付近の駐車場や勤務先の駐車場のデータは特定車両からしか送信されることがないので、このような統計処理により特定地点やその付近のデータを除くことができる。なお、一家で２台以上の車を所持している場合もあるので、サーバ側では、車両が異なっていても座標データが接近しているような場合には、これらのデータは除くようにする。
【００１１】
また、エンジンＯＦＦした地点を自動的に記憶すると、例えば、施設によっては駐車場が広く、その駐車場内で離れた地点で駐車した場合には同一地点として記憶されず、同じ施設に行ったにもかかわらず、異なる地点として履歴データが送信されることになる。そこで、サーバ１０では、駐車場データがある施設の場合には、その駐車場内の範囲を同一施設として認識して統計処理を行う。このような処理により、駐車場もその駐車場を提供している施設としてまとめることができる。なお、ナビゲーション装置において、駐車場データがある施設の場合には、その駐車場内の範囲を同一施設として認識して記憶させる機能を持たせるようにしてもよい。
【００１２】
また、特に駐車場をもたない大きな施設の場合も、その周辺の広い範囲に駐車する場合がある。そこで、サーバ１０では、駐車場データがない場合でも、特定の大施設についてはあらかじめ登録しておき、その周辺の広い範囲も同一地点として統計処理する。このような処理により、駐車場データのない大施設でも駐車場データを補完する手段を提供することができる。なお、特定の大施設の場合も、ナビゲーション装置においてその周辺の広い範囲を同一地点として認識して記憶させる機能を持たせるようにしてもよい。
【００１３】
こうして、統計処理することにより誰もがよく行く地点、すなわち人気の高い地点を順にランキング付けした施設等の地点データを作成して提供することができる。
【００１４】
なお、上記の例における特定地点やその付近のデータ、特定車両からのみ送信されるデータを除いて統計処理する方法、駐車場データがある施設の場合には、その駐車場内の範囲を同一施設として認識して統計処理を行う方法、特定の大施設についてはその周辺の広い範囲も同一地点として統計処理する方法は、それぞれ単独で採用してもよく、或いはこれらを適宜組み合わせて採用してもよい。
【００１５】
次に、図２、図３により本実施形態に係るナビゲーションシステムの例をより詳細に説明する。この例では、自宅付近のデータ、特定車両からのみ送信されるデータを除いて統計処理する方法、駐車場データがある施設の場合には、その駐車場内の範囲を同一施設として認識して統計処理を行う方法、特定の大施設についてはその周辺の広い範囲も同一地点として統計処理する方法を組み合わせている。
【００１６】
図２は各車両のナビゲーションシステムからサーバへ送信される履歴データを説明する図である。
この例では、各ユーザから２〜３月のローカルなデータがサーバ１０へ送られるものとしている。送信されるデータは、エンジンＯＦＦした地点の座標（東経、北緯）と、立ち寄り回数である。例えば、ユーザ１は、立寄回数が自宅４０回、駐車場をもつ施設Ａ１１回、Ｂ動物園８回、ユーザ２は、自宅５３回、駐車場を持たない大施設Ｂ１５回、Ｃショップ１１回、ユーザ３は、自宅３９回、駐車場をもつ施設Ａ５回、駐車場を持たない大施設Ｂ２回である。なお、ユーザ３が利用した施設Ａ、施設Ｂの座標データは、ユーザ１、ユーザ２が利用した施設Ａ、施設Ｂの座標データとは異なっているものとし、また、ユーザ１、ユーザ２が自宅を地点登録していると仮定し、そのためユーザ１、ユーザ２からは自宅のデータはサーバへ送信されないが、ユーザ３は自宅を地点登録していないため、ユーザが削除しない限り自宅のデータも送信される。
【００１７】
図３は履歴データを受信したサーバ側での処理を説明する図である。
ユーザ１からは自宅のデータが除かれた駐車場を持つ施設Ａ１１回、Ｂ動物園８回とそれらの座標データ、ユーザ２からは自宅のデータが除かれた駐車場を持たない大施設Ｂ１５回、Ｃショップ１１回とそれらの座標データ、ユーザ３からは、自宅３９回、駐車場を持つ施設Ａ５回、駐車場を持たない大施設Ｂ２回とそれらの座標データが送られている。サーバ側では、これらの受信データを立ち寄り回数の多い順に並べ替える。この並べ替処理で、ユーザ３自宅３９回、駐車場を持たない大施設Ｂ１５回、駐車場を持つ施設Ａ１１回、ブルーモメント１１回、Ｂ動物園８回、駐車場を持つ施設Ａ５回、駐車場を持たない大施設Ｂ２回となる。そして、ユーザ３自宅、Ｃショップ、Ｂ動物園はそれぞれ１台の車両からしか送られてきていないので採用せず、また、ユーザ３が利用した駐車場を持つ施設Ａ５回はユーザ１が利用した駐車場を持つ施設Ａ１１回と同じ地点として集計し、ユーザ３が利用した駐車場を持たない大施設Ｂ２回は、ユーザ２が利用した駐車場を持たない大施設Ｂ１５回と同じ地点として集計する。この集計処理により最終的なデータとして、大施設Ｂ１７回、施設Ａ１６回とランキング付けした履歴データが作成される。このデータは、各ナビゲーションシステムから要求があれば地点検索用データとして提供される。なお、娯楽施設、店、公共施設等のようにジャンル分けして地点検索用データを作成すれば、ユーザの希望するジャンルについて人気の高い地点を提供することができ、一層、ユーザのニーズに対応することが可能である。
【産業上の利用可能性】
【００１８】
本発明によれば、ユーザが良く行く地点をお勧め地点として提供することができるので産業上の利用価値は極めて大きい。
【図面の簡単な説明】
【００１９】
【図１】本実施形態に係るナビゲーションシステムの例を示す図である。
【図２】各車両のシステムからサーバへ送信される履歴データを説明する図である。
【図３】サーバ側での処理を説明する図である。
【符号の説明】
【００２０】
１−１，１−２……車両用ナビゲーション装置、２…現在位置検出手段、３…記憶手段、４…地点登録手段、５…制御手段、６…送受信手段、１０…サーバ、１１…送受信手段、１２…統計処理手段。
【図１】
2005315657.tif 000003
【図２】
2005315657.tif 000004
【図３】
2005315657.tif 000005